(57)【要約】【課題】二種類のリモコン信号の受信、およびリモコン信号の伝送に関わる後段側の受信ポート数を一つとすることが可能であり、更に双方のリモコン信号が合成された信号やノイズが合成されたリモコン信号が後段側に送出されることを極力防止し、何れのリモコン信号をも後段側へ適切に送出することが容易となるリモコン信号受信装置を提供する。【解決手段】第１リモコン信号を受信する第１受信部と、第２リモコン信号を受信する第２受信部と、これらの受信部の何れか一方を、後段側へ切替可能に接続し、リモコン信号の伝送を可能とするセレクタと、当該切替を制御する切替制御部と、を備え、該切替制御部は、第２リモコン信号の状態を監視して、第２リモコン信号が到来している期間に対応した特定期間を検出するものであり、該特定期間において第２受信部が前記後段側へ継続的に接続されるように、前記制御を行うリモコン信号受信装置とする。【選択図】図１
2011155581.tif 000002
【特許請求の範囲】
【請求項１】
電気機器本体に備えられ、リモコン操作の内容を表すリモコン信号を受信して後段側に伝送する、リモコン信号受信装置であって、
所定の第１周波数帯による前記リモコン信号である、第１リモコン信号を受信する第１受信部と、
第１周波数帯とは異なる第２周波数帯による前記リモコン信号である、第２リモコン信号を受信する第２受信部と、
第１受信部と第２受信部の何れか一方を、前記後段側へ切替可能に接続することで、該後段側への前記リモコン信号の伝送を可能とするセレクタと、
該セレクタにおける接続の切替を制御する切替制御部と、
を備え、
該切替制御部は、
第２リモコン信号の状態を監視することにより、第２リモコン信号が到来している期間に対応した特定期間を検出するものであり、
該特定期間において第２受信部が前記後段側へ継続的に接続されるように、前記制御を行うことを特徴とするリモコン信号受信装置。
【請求項２】
第２リモコン信号は、
前記リモコン操作の種類ごとに予め設定されている信号パターンに従って、所定の第１状態と第２状態が交互に繰り返される形態とされることにより、前記リモコン操作の内容を表すものである請求項１に記載のリモコン信号受信装置であって、
前記信号パターンの各々は、
第２状態が所定の基準時間を超えて続かないように設定されており、
前記切替制御部は、
第２リモコン信号が第１状態であること、および、第２リモコン信号が第２状態に遷移してから前記基準時間が経過していないことの、少なくとも一方の条件が満たされている期間を、前記特定期間として検出することを特徴とするリモコン信号受信装置。
【請求項３】
前記切替制御部は、
前記基準時間に基づいて時定数が設定された時定数回路を備えており、
該時定数回路を用いて、前記特定期間を検出することを特徴とする請求項２に記載のリモコン信号受信装置。
【請求項４】
前記切替制御部は、
前記特定期間を除く全ての期間において、第１受信部が前記後段側へ継続的に接続されるように、前記制御を行うことを特徴とする請求項３に記載のリモコン信号受信装置。
【請求項５】
第１リモコン信号は、赤外線を伝送媒体とするリモコン信号であることを特徴とする請求項１から請求項４の何れかに記載のリモコン信号受信装置。
【請求項６】
請求項１から請求項５の何れかに記載のリモコン信号受信装置を備えた電気機器本体と、
該リモコン信号受信装置に、第１リモコン信号を送信する第１リモコン装置と、
該リモコン信号受信装置に、第２リモコン信号を送信する第２リモコン装置と、
を備えたことを特徴とする電気機器。
【発明の詳細な説明】
【技術分野】
【０００１】
本発明は、リモコン信号を受信するリモコン信号受信装置、およびこれを備えた電気機器に関する。
【背景技術】
【０００２】
従来、多くの種類の電気機器は、無線信号を利用したリモートコントロール（本願では「リモコン」と略記する）による動作制御が可能となっている。このような電気機器の本体側には、通常、リモコン信号の受信ポートを有した信号処理装置（マイコンなど）が備えられており、当該信号処理装置は、適宜受信したリモコン信号に基づいて自機の各部を制御する。これにより当該電気機器は、離れた場所からのリモコン操作が可能となっており、ユーザにとって利便性が高いものとなっている。
【０００３】
またリモコン操作が可能である電気機器としては、２種類の異なる周波数帯によるリモコン信号をそれぞれ受信するものが考案されている。このような電気機器としては、一例として、赤外線によるリモコン信号（ＩＲリモコン信号）だけでなく、例えば２．４ＧＨｚの電波によるリモコン信号（ＲＦリモコン信号）を受信するものが挙げられる。
【０００４】
当該電気機器によれば、ユーザは状況に応じて、ＩＲリモコン信号を用いるリモコン装置（ＩＲ仕様リモコン装置）と、ＲＦリモコン信号を用いるリモコン装置（ＲＦ仕様リモコン装置）を使い分けることができる。なお周知の通り、一般的に高い周波数の信号であるほど、情報の伝送速度は向上するが、伝送媒体の直進性は高くなり、信号の伝送が障害物などに遮られ易くなる傾向にある。
【０００５】
このような２種類のリモコン信号を扱う電気機器の構成について、信号処理装置が有する受信ポートの二つが、リモコン信号の入力に利用される形態（形態Ａ）、および、ＯＲ回路の採用により、リモコン信号の入力に利用される受信ポートが一つとされた形態（形態Ｂ）の、二通りの形態を例に挙げて、以下に簡潔に説明する。
【０００６】
先ず、形態Ａが採用された電気機器の構成について説明する。図８は、形態Ａが採用された電気機器の構成図である。本図に示すように、当該電気機器は、機器本体１０１、ＩＲ仕様リモコン装置１０２、およびＲＦ仕様リモコン装置１０３を備えている。また機器本体１０１は、ＩＲリモコン信号受信部１１１、ＲＦリモコン信号受信部１１２、および信号処理装置１１６などを有している。
【０００７】
ＩＲリモコン信号受信部１１１は、ＩＲ仕様リモコン装置１０２から送信されるＩＲリモコン信号の受信が可能なように形成されている。ＩＲリモコン信号受信部１１１は、受信したＩＲリモコン信号を後段側（本形態では、信号処理装置１１６が有する受信ポートの一つ）に送出する。
【０００８】
ＲＦリモコン信号受信部１１２は、ＲＦ仕様リモコン装置１０３から送信される、ＲＦリモコン信号の受信が可能なように形成されている。ＲＦリモコン信号受信部１１２は、受信したＲＦリモコン信号を後段側（本形態では、信号処理装置１１６が有する受信ポートの、別の一つ）に送出する。なおＩＲリモコン信号およびＲＦリモコン信号は、図１０の（Ａ）に示すように、振幅がＨレベルとＬレベルの何れかとなる信号（ここでは一例として、負論理の信号となっている。
【０００９】
信号処理装置１１６は、ＩＣ化されたマイコンなどとして形成されている。信号処理装置１１６は、前段側から送出されてきたＩＲリモコン信号またはＲＦリモコン信号に基づいて、ユーザによるリモコン操作の内容を判別し、判別の結果に従って、機器本体１０１の各部を制御する。なお、ＩＲリモコン信号とＲＦリモコン信号が同時期に送出されてきたときは、例えば一方のリモコン信号が優先され、他方のリモコン信号の内容は無視されるようになっている。
【００１０】
上述した形態Ａの電気機器によれば、ＩＲリモコン信号とＲＦリモコン信号の何れをも扱うことが可能である。しかし形態Ａでは、信号処理装置１１６が有する受信ポートの二つがリモコン信号の入力に利用されるため、他の用途に割当て可能な受信ポートの数が、二つ分も減ってしまう。
【００１１】
特に、例えばＩＣのピン数の制限やソフトウェア処理の制限のために、リモコン信号の入力に利用できる受信ポートが一つしか準備されていない場合には、形態Ａを採用することはできない。また形態Ａによれば、二つの受信ポートの各々についてリモコン信号の監視などを行う必要があり、信号処理装置１１６におけるソフトウェア処理の負担が、比較的重くなってしまう。この点、形態Ｂが採用された電気機器によれば、これらの問題が解消されるようになっている。
【００１２】
次に、形態Ｂが採用された電気機器の構成について説明する。図９は、形態Ｂが採用された電気機器の構成図である。本図に示すように、当該電気機器は、機器本体１０１、ＩＲ仕様リモコン装置１０２、およびＲＦ仕様リモコン装置１０３を備えている。また機器本体１０１は、ＩＲリモコン信号受信部１１１、ＲＦリモコン信号受信部１１２、信号処理装置１１６、およびＯＲ回路１１７などを有している。なお、ＩＲリモコン信号受信部１１１、およびＲＦリモコン信号受信部１１２の構成、ならびに、ＩＲリモコン信号およびＲＦリモコン信号の形式については、形態Ａのものと同様である。
【００１３】
ＯＲ回路１１７は、入力側が、ＩＲリモコン信号受信部１１１およびＲＦリモコン信号受信部１１２に接続され、出力側が、信号処理装置１１６が有する受信ポートの一つに接続されている。これによりＯＲ回路１１７は、ＩＲリモコン信号およびＲＦリモコン信号が入力され、これらの論理和の信号を生成して、当該受信ポートに送出する。
【００１４】
信号処理装置１１６は、ＯＲ回路１１７から送出されてきた論理和の信号を、リモコン信号として受取る。これにより信号処理装置１１６は、ＩＲリモコン信号が到来しているときにはＩＲリモコン信号を受取り、ＲＦリモコン信号が到来しているときにはＲＦリモコン信号を受取るようになっている。信号処理装置１１６は、受取った何れかの種類のリモコン信号に基づいて、ユーザによるリモコン操作の内容を判別し、判別の結果に従って、機器本体１０１の各部を制御する。
【先行技術文献】
【特許文献】
【００１５】
【特許文献１】特開平４−２９９６９４号公報
【発明の概要】
【発明が解決しようとする課題】
【００１６】
上述した形態Ｂの電気機器によれば、信号処理装置１１６が有する受信ポートの一つがリモコン信号の伝送に用いられるだけであるため、他の用途に割当て可能な受信ポートの数を、出来るだけ減らさないようにすることが可能である。また、リモコン信号の伝送に利用できる受信ポートが一つしか準備されていない場合であっても、形態Ｂを採用することは可能である。
【００１７】
しかしながら、ＩＲ仕様リモコン装置１０２とＲＦ仕様リモコン装置１０３が同時に操作され、各受信部（１１１、１１２）によって、ＩＲリモコン信号とＲＦリモコン信号が同時期に受信されることが想定される。この場合、形態Ｂによれば、ＯＲ回路１１７によって双方のリモコン信号が合成された信号が生成され、信号処理装置１１６に送出されることで、機器本体１０１に誤動作の生じるおそれがある。
【００１８】
また形態Ｂによれば、ＩＲリモコン信号が送信されていなくても、蛍光灯などから発せられる赤外線ノイズがＩＲリモコン信号受信部１１１において誤って受信され、ＯＲ回路１１７に入ってしまう事態が起こりうる。特に、ＩＲリモコン信号受信部１１１に一般的なＡＧＣ［Automatic Gain Control］機能（受ける赤外線の強度に応じて、ゲインを増減させる機能）が採用されている場合には、ＩＲリモコン信号を受信していない時にゲインが増大されるため、このような事態が生じ易くなる。
【００１９】
赤外線ノイズが入ってしまうと、ＲＦ仕様リモコン装置１０３が操作される際に、ＯＲ回路１１７によって赤外線ノイズが合成されたリモコン信号が生成され、信号処理装置１１６に送出されることで、機器本体１０１に誤動作の生じるおそれがある。例えば、図１０の（Ａ）に示す状態のＲＦリモコン信号が受信される場合に、図１０の（Ｂ）に示す状態の赤外線ノイズがＯＲ回路１１７に入っていると、図１０の（Ｃ）に示すように、赤外線ノイズが合成されたリモコン信号が生成されてしまう。
【００２０】
本発明は上述した問題に鑑み、互いに周波数帯が異なる二種類のリモコン信号の受信が可能であり、かつ、リモコン信号の伝送に関わる後段側の受信ポートの数を一つとすることが可能でありながらも、双方のリモコン信号が合成された信号やノイズが合成されたリモコン信号が後段側に送出されることを極力防止し、双方のリモコン信号を後段側へ適切に送出することが容易となるリモコン信号受信装置の提供を目的とする。また当該リモコン信号受信装置を備えた電気機器の提供をも目的とする。
【課題を解決するための手段】
【００２１】
上記目的を達成するため、本発明に係るリモコン信号受信装置は、電気機器本体に備えられ、リモコン操作の内容を表すリモコン信号を受信して後段側に伝送する、リモコン信号受信装置であって、所定の第１周波数帯による前記リモコン信号である、第１リモコン信号を受信する第１受信部と、第１周波数帯とは異なる第２周波数帯による前記リモコン信号である、第２リモコン信号を受信する第２受信部と、第１受信部と第２受信部の何れか一方を、前記後段側へ切替可能に接続することで、該後段側への前記リモコン信号の伝送を可能とするセレクタと、該セレクタにおける接続の切替を制御する切替制御部と、を備え、該切替制御部は、第２リモコン信号の状態を監視することにより、第２リモコン信号が到来している期間に対応した特定期間を検出するものであり、該特定期間において第２受信部が前記後段側へ継続的に接続されるように、前記制御を行う構成とする。
【００２２】
本構成によれば、第１受信部と第２受信部が設けられており、セレクタによって、第１受信部と第２受信部の何れか一方が、後段側（例えば電気機器本体における信号処理回路）に接続される。そのため、互いに周波数帯が異なる二種類のリモコン信号を受信し、リモコン信号の伝送に関わる後段側の受信ポートの数を、一つとすることが可能となる。
【００２３】
また本構成によれば、第１受信部と第２受信部の一方のみが後段側に接続されるため、双方のリモコン信号が合成された信号やノイズが合成されたリモコン信号が後段側に送出されることを、極力防止することが可能となる。更に本構成によれば、検出される特定期間において、第２受信部が後段側へ継続的に接続される。そのため、例えば特定期間を除く期間においては第１受信部が後段側へ接続されるようにすることで、双方のリモコン信号を後段側へ適切に送出することが可能となる。
【００２４】
また、第２リモコン信号は、前記リモコン操作の種類ごとに予め設定されている信号パターンに従って、所定の第１状態と第２状態が交互に繰り返される形態とされることにより、前記リモコン操作の内容を表すものである、上記構成に係るリモコン信号受信装置において、前記信号パターンの各々は、第２状態が所定の基準時間を超えて続かないように設定されており、前記切替制御部は、第２リモコン信号が第１状態であること、および、第２リモコン信号が第２状態に遷移してから前記基準時間が経過していないことの、少なくとも一方の条件が満たされている期間を、前記特定期間として検出する構成としてもよい。
【００２５】
本構成によれば、第２リモコン信号の状態の監視結果に基づいて、特定期間を適切に検出することが可能となる。
【００２６】
また上記構成において、前記切替制御部は、前記基準時間に基づいて時定数が設定された時定数回路を備えており、該時定数回路を用いて、前記特定期間を検出する構成としてもよい。本構成によれば、特定期間を検出するための装置を容易に形成することが可能となる。
【００２７】
また上記構成としてより具体的には、前記切替制御部は、前記特定期間を除く全ての期間において、第１受信部が前記後段側へ継続的に接続されるように、前記制御を行う構成としてもよい。
【００２８】
また上記構成としてより具体的には、第１リモコン信号は、赤外線を伝送媒体とするリモコン信号であってもよい。なお赤外線は、リモコン信号の伝送媒体として一般的に採用されているが、先述した通り、蛍光灯などから発せられる赤外線ノイズの問題があることも知られている。この点本構成によれば、このような赤外線ノイズの問題を極力解消することが可能である。
【００２９】
また本発明に係る電気機器は、上記構成に係るリモコン信号受信装置を備えた電気機器本体と、該リモコン信号受信装置に、第１リモコン信号を送信する第１リモコン装置と、該リモコン信号受信装置に、第２リモコン信号を送信する第２リモコン装置と、を備えた構成とする。本構成によれば、上記構成のリモコン信号受信装置に係る利点を享受することが可能となる。
【発明の効果】
【００３０】
上述した通り、本発明に係るリモコン信号受信装置によれば、第１受信部と第２受信部が設けられており、セレクタによって、第１受信部と第２受信部の何れか一方が、後段側に接続される。そのため、互いに周波数帯が異なる二種類のリモコン信号を受信し、リモコン信号の伝送に関わる後段側の受信ポートの数を、一つとすることが可能となる。
【００３１】
また本発明に係るリモコン信号受信装置によれば、第１受信部と第２受信部の一方のみが後段側に接続されるため、双方のリモコン信号が合成された信号やノイズが合成されたリモコン信号が後段側に送出されることを、極力防止することが可能となる。更に本発明に係るリモコン信号受信装置によれば、検出される特定期間において、第２受信部が後段側へ継続的に接続される。そのため、例えば特定期間を除く期間においては第１受信部が後段側へ接続されるようにすることで、各種類のリモコン信号を後段側へ適切に送出することが可能となる。
【図面の簡単な説明】
【００３２】
【図１】本発明の実施形態に係る電気機器の構成図である。
【図２】各種操作に対応した信号パターンに関する説明図である。
【図３】切替制御回路の動作内容に関する説明図である。
【図４】切替制御回路の動作内容に関する説明図である。
【図５】第１形態に係る切替制御回路の構成図である。
【図６】第２形態に係る切替制御回路の構成図である。
【図７】第３形態に係る切替制御回路の構成図である。
【図８】従来の形態Ａに係る電気機器の構成図である。
【図９】従来の形態Ｂに係る電気機器の構成図である。
【図１０】形態Ｂに係る電気機器の動作内容に関する説明図である。
【発明を実施するための形態】
【００３３】
本発明の実施形態について、二つのリモコン装置、およびリモコン信号受信装置を備えた電気機器本体を有する、電気機器を例に挙げて以下に説明する。
【００３４】
図１は、当該電気機器の構成図を表している。本図に示すように当該電気機器９は、電気機器本体１（以下、「機器本体１」と略記することがある）、ＩＲ仕様リモコン装置２、およびＲＦ仕様リモコン装置３を備えている。ＩＲ仕様リモコン装置２およびＲＦ仕様リモコン装置３は、何れも、ユーザのリモコン操作（ボタン操作等）を受付けるユーザインターフェースを有しており、何らかのリモコン操作がなされたときに、このリモコン操作に応じたリモコン信号を生成し、機器本体１に向けて送出するものである。
【００３５】
なお電気機器９の種類としては、例えばテレビ放送受像機が挙げられるが、これに限定されるものではなく、種々の電気機器が該当し得る。またリモコン操作の種類も、電気機器９の種類に応じて任意に設定しておくことが可能である。例えばテレビ放送受像機である場合、電源のＯＮ／ＯＦＦの切替指示、受信チャンネルの切替指示、および音量の切替指示などに対応したリモコン操作を、予め設定しておくことが可能である。
【００３６】
またＩＲ仕様リモコン装置２は、赤外線による（赤外線を伝送媒体とした）リモコン信号である、ＩＲリモコン信号を生成して送出する仕様となっている。一方、ＲＦ仕様リモコン装置３は、２．４ＧＨｚの電波による（２．４ＧＨｚの電波を伝送媒体とした）リモコン信号である、ＲＦリモコン信号を生成して送出する仕様となっている。なお伝送媒体の周波数帯については、他のものが採用されていても構わない。
【００３７】
ＩＲリモコン信号およびＲＦリモコン信号の何れも、図２に示すように、振幅が所定のＨレベル（Ｈｉｇｈレベル）と所定のＬレベル（Ｌｏｗレベル）の何れかの状態となる信号となっている。本実施形態でのリモコン信号は、一例として、負論理（Low Active）の信号であるものとして説明するが、正論理（High Active）としても構わない。なおリモコン信号の形式などについての詳細は、改めて説明する。
【００３８】
また機器本体１は、リモコン信号受信装置５、および信号処理装置６などを備えている。またリモコン信号受信装置５は、ＩＲリモコン信号受信部１１、ＲＦリモコン信号受信部１２、セレクタ１３、および切替制御回路１４などから形成されている。
【００３９】
ＩＲリモコン信号受信部１１は、赤外線を検出する素子（フォトダイオードなど）を有しており、到来したＩＲリモコン信号を受信して、後段側のセレクタ１３に送出する。またＩＲリモコン信号受信部１１は、ＡＧＣ回路を有しており、入ってくる赤外線の強度に応じて、自動的にゲインが調整されるようになっている。
【００４０】
ＲＦリモコン信号受信部１２は、２．４ＧＨｚ帯の電波を検出する素子を有しており、到来したＲＦリモコン信号を受信して、後段側のセレクタ１３および切替制御回路１４に送出する。またＲＦリモコン信号受信部１２は、ＡＧＣ回路を有しており、入ってくる２．４ＧＨｚ帯の電波の強度に応じて、自動的にゲインが調整されるようになっている。
【００４１】
セレクタ１３は、前段側が、ＩＲリモコン信号受信部１１およびＲＦリモコン信号受信部１２に、後段側が、信号処理装置６の受信ポートの一つに接続されている。セレクタ１３は、信号処理装置６を、ＩＲリモコン信号受信部１１およびＲＦリモコン信号受信部１２の何れか一方に、切替可能に接続する。より具体的には、セレクタ１３は、切替制御回路１４から受取っている切替制御信号がＨレベルであるときは、ＩＲリモコン信号受信部１１を信号処理装置６に接続させ、Ｌレベルであるときは、ＲＦリモコン信号受信部１２を信号処理装置６に接続させる。
【００４２】
これによりセレクタ１３は、切替制御信号に従って、ＩＲリモコン信号とＲＦリモコン信号の一方を選択し、選択された方のリモコン信号（以下、便宜的に「選択リモコン信号」と称することがある）を、信号処理装置６に送出する機能を有しているといえる。
【００４３】
切替制御回路１４は、ＲＦリモコン信号受信部１２から送出されてきたＲＦリモコン信号に基づいて、切替制御信号を生成し、セレクタ１３に送出する。なお切替制御回路１４の動作や構成等については、改めて詳細に説明する。
【００４４】
信号処理装置６は、一つまたは複数の受信ポートを有するＩＣのマイコン等によって形成されている。信号処理装置６は、受信ポートを介して受取った選択リモコン信号に基づいて、ユーザによるリモコン操作の内容を判別し、当該判別の結果に従って、機器本体１の各部を制御する。
【００４５】
次に、電気機器９が取扱うリモコン信号の形式について説明する。機器本体１および各リモコン装置（２、３）には、リモコン操作の種類ごとに、リモコン信号をどのような形態とするかを決定するための信号パターンが登録されている。より具体的には、当該信号パターンの各々は、Ｈレベルの状態（振幅がＨレベルに維持される状態）である期間とＬレベルの状態（振幅がＬレベルの状態に維持される状態）である期間が、交互に繰り返されるタイミングや回数を特定するものとなっている。
【００４６】
例えば「操作Ａ」を表す信号パターンは、図２の上段に示すようにＨレベルの期間とＬレベルの期間が交互に繰り返される内容となっており、「操作Ｂ」を表す信号パターンは、図２の下段に示すようにＨレベルの期間とＬレベルの期間が交互に繰り返される内容となっている。なお各信号パターンにおいては、Ｈレベルの状態が、所定の基準時間Ｔｓｔ（後述する、遅延時間に相当する時間）を越えて続かないように設定されている。例えば図２を参照すれば、Ｈレベルの各期間（Ｔａ１〜Ｔａ３、Ｔｂ１〜Ｔｂ４）は、基準時間Ｔｓｔより短くなるように設定されている。
【００４７】
各リモコン装置（２、３）は、ユーザによってあるリモコン操作がなされたとき、そのリモコン操作に対応する信号パターンに従ってリモコン信号を生成し、機器本体１に送信することとなる。これにより、ＩＲリモコン信号およびＲＦリモコン信号は、何れかの信号パターンに従った形態となる。そして機器本体１（信号処理装置６）は、受信したリモコン信号が何れの信号パターンに対応しているかを解析し、リモコン操作の内容を判別することとなる。
【００４８】
なお信号パターンは、両方のリモコン装置（２、３）に共通となっている。そのため信号処理装置６は、リモコン操作の内容を判別するにあたり、受取った選択リモコン信号が何れのリモコン装置から送信されたものかを判別する必要はない。
【００４９】
次に、切替制御回路１４の動作について説明する。切替制御回路１４は、ＲＦリモコン信号の状態を継続的に検出する。そして切替制御回路は、現時点が、ＲＦリモコン信号がＬレベルの状態であること、および、ＲＦリモコン信号がＨレベルの状態に遷移してから基準時間Ｔｓｔが経過していないこととの、少なくとも一方の条件が満たされている期間（便宜上、「特定期間」と称する）に属するか否かを検出する。
【００５０】
そして切替制御回路１４は、現時点が特定期間に属している場合には、Ｌレベルの切替制御信号を生成してセレクタ１３に送出し、現時点が特定期間に属していない場合には、Ｈレベルの切替制御信号を生成してセレクタ１３に送出するように動作する。そのため図３の上段に示すように、ＲＦリモコン信号として一つのパルスが到来するケースを仮定すると、図３の下段に示すような形態の切替制御信号が生成されることになる。
【００５１】
つまり、ＲＦリモコン信号がＬレベルの状態に遷移した時には、すぐにＬレベルに遷移し、その後ＲＦリモコン信号がＨレベルの状態に遷移した時には、基準時間Ｔｓｔだけ遅延してＨレベルに遷移するように、切替制御信号が生成される。このことから切替制御回路１４は、ＲＦリモコン信号について立ち上がりを遅延させたものを、切替制御信号として生成する回路（基準時間Ｔｓｔを遅延時間とした、立ち上がり遅延回路）と見ることもできる。
【００５２】
上述したように切替制御回路１４は、特定期間においては、ＲＦリモコン信号受信部１２が信号処理装置６へ継続的に接続されるように、セレクタ１３を制御する一方、特定期間以外においては、ＩＲリモコン信号受信部１１が信号処理装置６へ継続的に接続されるように、セレクタ１３を制御する。例えば先述した操作Ａを表すＲＦリモコン信号（図２を参照）が到来した場合、切替制御回路１４は、図４に示すように特定期間に応じた切替制御信号を生成し、セレクタ１３を制御することになる。
【００５３】
ここで図４からも明らかなように、上述した特定期間は、ＲＦリモコン信号の到来が検出された時点から、少なくともこのＲＦリモコン信号の到来が完了するまでの期間を、全て含んだ期間となっている。このように特定期間は、ＲＦリモコン信号が機器本体１に到来している期間に対応している。
【００５４】
また先述したように、各信号パターンにおいては、Ｈレベルの状態が基準時間Ｔｓｔを越えて続かないように設定されている。そのため、ＲＦリモコン信号の到来が完了する前に特定期間が途切れるといった事態は、回避されるようになっている。なお基準時間Ｔｓｔは、各信号パターンにおけるＨレベルの状態が続く期間よりも、十分に長くしておくことが望ましい。
【００５５】
切替制御回路１４は、上述したように動作する。そのため、ユーザがＩＲ仕様リモコン装置２のみを使ってリモコン操作を行った状況（すなわち、機器本体１にＩＲリモコン信号が到来し、ＲＦリモコン信号は到来しない状況）では、ＩＲリモコン信号受信部１１が、信号処理装置６に接続される。これにより信号処理装置６は、リモコン操作の情報を適切に受取り、当該リモコン操作に従って、機器本体１の各部を制御することが可能となっている。
【００５６】
また、ユーザがＲＦ仕様リモコン装置３のみを使ってリモコン操作を行った状況（すなわち、機器本体１にＲＦリモコン信号が到来し、ＩＲリモコン信号は到来しない状況）では、ＲＦリモコン信号受信部１２が、信号処理装置６に接続される。これにより信号処理装置６は、リモコン操作の情報を適切に受取り、当該リモコン操作に従って、機器本体１の各部を制御することが可能となっている。
【００５７】
なおこの状況において、例えば蛍光灯が発する赤外線ノイズが機器本体１に到来していても、この赤外線ノイズは選択リモコン信号に合成されない。そのため、このようなノイズの合成されたリモコン信号が信号処理装置６に送出されて、機器本体１が誤動作を生じることは、未然に防がれる。
【００５８】
また、ユーザが両方のリモコン装置（２、３）を使って、同時期にリモコン操作を行った状況（すなわち機器本体１に、ＩＲリモコン信号とＲＦリモコン信号の両方の信号が、同時期に到来する状況）では、ＩＲリモコン信号受信部１１が、信号処理装置６に接続される。これにより信号処理装置６は、ＲＦ仕様リモコン装置３を使ったリモコン操作の情報を適切に受取り、当該リモコン操作に従って、機器本体１の各部を制御することが可能である。つまりこの状況では、ＲＦ仕様リモコン装置３を使ったリモコン操作が優先され、ＩＲ仕様リモコン装置２を使ったリモコン操作は、機器本体１の制御に影響を及ぼさない。
【００５９】
このようにリモコン信号受信装置５によれば、双方のリモコン信号が同時期に到来しても、これらのリモコン信号が合成されて信号処理装置６に送出されるといった事態は発生せず、一方のリモコン信号のみが信号処理装置６に送出される。そのため、双方のリモコン信号が合成された信号が信号処理装置６に送出されて、機器本体１が誤動作を生じることは、未然に防がれる。
【００６０】
次に、切替制御回路１４の具体的な回路構成について、第１形態から第３形態までの３通りの形態を挙げて説明する。なおこれらの形態は一例であり、上述した動作もしくはこれと同趣旨の動作が実現可能となっている限り、他の形態が採用されても構わない。
【００６１】
まず第１形態の切替制御回路１４について説明する。図５は、当該切替制御回路１４の構成図である。本図に示すように、切替制御回路１４は、電源ＰＷ、コンパレータＣＯＭＰ、抵抗器（Ｒ１、Ｒ２）、トランジスタ（Ｑ１、Ｑ２）、インバータＩＮＶ１、およびコンデンサＣ１などを有している。なお抵抗器Ｒ１は、定電流回路が代用されても構わない。
【００６２】
コンパレータＣＯＭＰは、反転入力端子に、ＲＦリモコン信号受信部１２からＲＦリモコン信号が入力され、非反転入力端子に、参照電圧Ｖｃが入力される。コンパレータＣＯＭＰの出力端子は、トランジスタＱ２のベースに接続されている。なおコンパレータＣＯＭＰは、電源ＰＷから駆動電力の供給を受けている。トランジスタＱ２は、コレクタがインバータＩＮＶ１の入力側に接続され、エミッタは接地されている。
【００６３】
抵抗器Ｒ１は、一端が電源ＰＷに接続され、他端がインバータＩＮＶ１の入力側に接続されている。コンデンサＣ１は、一端がインバータＩＮＶ１の入力側に接続され、他端は接地されている。インバータＩＮＶ１の出力側は、トランジスタＱ１のベースに接続されている。抵抗器Ｒ２は、一端が電源ＰＷに接続され、他端がトランジスタＱ１のコレクタに接続されている。トランジスタＱ１のエミッタは接地されている。またトランジスタＱ１のコレクタは、切替制御信号が出力されるように、セレクタ１３に接続されている。
【００６４】
切替制御回路１４は上述した回路構成となっており、ＲＦリモコン信号と参照電圧Ｖｃとの比較結果の信号がトランジスタＱ２のベースに入力され、トランジスタＱ２のＯＮ／ＯＦＦ（導通／非導通）が制御される。トランジスタＱ２がＯＮのときは、インバータＩＮＶ１はＬレベルの状態となる。
【００６５】
トランジスタＱ２がＯＦＦに遷移したとき、コンデンサＣ１は徐々に充電し、一定時間が経過（遅延）した後に、インバータＩＮＶ１に入力される電圧は所定値を上回る。またインバータＩＮＶ１の出力信号は、トランジスタＱ１のベースに入力され、トランジスタＱ１のＯＮ／ＯＦＦが制御される。トランジスタＱ１のＯＮ／ＯＦＦが切替ることにより、切替制御信号の状態が切替ることとなる。
【００６６】
このように切替制御回路１４は、所定の時定数が設定された時定数回路を備えている。なお当該時定数回路は、主に、コンデンサＣ１および抵抗器Ｒ１から形成されており、その時定数の値は、主に、コンデンサＣ１の容量および抵抗器Ｒ１の抵抗値によって定まっている。そしてこの時定数の値（つまり、コンデンサＣ１の容量や抵抗器Ｒ１の抵抗値など）は、時定数回路による遅延時間が先述した基準時間Ｔｓｔにほぼ一致するように、基準時間Ｔｓｔに基づいて予め設定されている。
【００６７】
これにより切替制御回路１４は、ＲＦリモコン信号がＬレベルの状態である期間だけでなく、ＲＦリモコン信号がＨレベルの状態に遷移してから基準時間Ｔｓｔが経過していない期間においても、Ｌレベルの切替制御信号を出力するようになっている。すなわち、ＲＦリモコン信号がＨレベルの状態に遷移しても、切替制御信号は直ちにはＨレベルとならず、基準時間Ｔｓｔだけ遅延した段階でＨレベルとなる。ただし、基準時間Ｔｓｔが経過する前にＲＦリモコン信号がＬレベルの状態に遷移した場合は、切替制御信号はＬレベルに維持され、Ｈレベルとはならない。
【００６８】
なお第１形態の切替制御回路１４によれば、参照電圧Ｖｃの値を変更することによって、スレッショルドレベルを変更することが可能である。そのため当該切替制御回路１４によれば、設計段階などにおいて、動作の反応時間や感度などを調節することが容易となっている。
【００６９】
次に第２形態の切替制御回路１４について説明する。図６は、当該切替制御回路１４の構成図である。本図に示すように第２形態の切替制御回路１４は、第１形態におけるコンパレータＣＯＭＰの代わりに、インバータＩＮＶ２が設けられている。より具体的には、インバータＩＮＶ２の入力側には、ＲＦリモコン信号受信部１２からＲＦリモコン信号が入力され、出力側は、トランジスタＱ２のベースに接続されている。
【００７０】
次に第３形態の切替制御回路１４について説明する。図７は、当該切替制御回路１４の構成図である。本図に示すように第３形態の切替制御回路１４は、第１形態におけるコンパレータＣＯＭＰおよびトランジスタＱ２の代わりに、ダイオードＤ１が設けられている。より具体的には、ダイオードＤ１のカソードには、ＲＦリモコン信号受信部１２からＲＦリモコン信号が入力され、アノードは、インバータＩＮＶ１の入力側に接続されている。
【００７１】
第２形態および第３形態の切替制御回路１４は、全体的な動作の内容については、第１形態のものと同等である。ただし第２形態および第３形態の切替制御回路１４は、前段側の回路構成が第１形態のものに比べて簡易化されており、製造コスト等を抑えることが可能となっている。
【００７２】
以上に説明した通り、リモコン信号受信装置５は、機器本体１に備えられ、リモコン操作の内容を表すリモコン信号を受信して、後段側の信号処理装置６に伝送するものである。またリモコン信号受信装置５は、ＩＲリモコン信号を受信するＩＲリモコン信号受信部１１と、ＲＦリモコン信号を受信するＲＦリモコン信号受信部１２と、これらの受信部の何れか一方を、信号処理装置６へ切替可能に接続することで、信号処理装置６へのリモコン信号の伝送を可能とするセレクタ１３と、セレクタ１３における接続の切替を制御する切替制御回路１４と、を備えている。
【００７３】
そして更に切替制御回路１４は、ＲＦリモコン信号の状態を監視することにより、ＲＦリモコン信号が到来している期間に対応した特定期間を検出するようになっている。また切替制御回路１４は、この特定期間においては、ＲＦリモコン信号受信部１２が信号処理装置６へ継続的に接続されるように、特定期間を除く全ての期間においては、ＩＲリモコン信号受信部１１が信号処理装置６へ継続的に接続されるように、セレクタ１３における接続の切替を制御する。
【００７４】
更に具体的には、ＲＦリモコン信号は、リモコン操作の種類ごとに予め設定されている信号パターンに従って、Ｌレベルの状態（第１状態）とＨレベルの状態（第２状態）が交互に繰り返される形態とされることにより、リモコン操作の内容を表すものとなっている。また信号パターンの各々は、Ｈレベルの状態が基準時間Ｔｓｔを超えて続かないように設定されている。
【００７５】
そして更に切替制御回路１４は、ＲＦリモコン信号がＬレベルの状態であること、および、ＲＦリモコン信号がＨレベルの状態に遷移してから基準時間Ｔｓｔが経過していないことの、少なくとも一方の条件が満たされている期間を、特定期間として検出するようになっている。なお切替制御回路１４は、基準時間Ｔｓｔに基づいて時定数が設定された時定数回路を備えており、この時定数回路を用いて、特定期間を検出するようになっている。
【００７６】
そのためリモコン信号受信装置５によれば、互いに周波数帯が異なる二種類のリモコン信号を受信し、リモコン信号の伝送に関わる信号処理装置６の受信ポートの数を、一つとすることが可能となっている。また双方のリモコン信号が合成された信号やノイズが合成されたモコン信号が信号処理装置６に送出されることを、極力防止することが可能となっている。また何れのリモコン信号をも信号処理装置６へ適切に送出することが可能となっている。
【００７７】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００７８】
本発明は、リモコン操作を受付ける種々の電気機器に利用することができる。
【符号の説明】
【００７９】
１    機器本体（電気機器本体）
２    ＩＲ仕様リモコン装置（第１リモコン装置）
３    ＲＦ仕様リモコン装置（第２リモコン装置）
５    リモコン信号受信装置
６    信号処理装置
９    電気機器
１１    ＩＲリモコン信号受信部（第１受信部）
１２    ＲＦリモコン信号受信部（第２受信部）
１３    セレクタ
１４    切替制御回路（切替制御部）
ＰＷ    電源
Ｃ１      コンデンサ
Ｄ１      ダイオード
Ｑ１、Ｑ２    トランジスタ
Ｒ１、Ｒ２    抵抗器
ＣＯＭＰ      コンパレータ
ＩＮＶ１、ＩＮＶ２    インバータ
【図１】
2011155581.tif 000003
【図２】
2011155581.tif 000004
【図３】
2011155581.tif 000005
【図４】
2011155581.tif 000006
【図５】
2011155581.tif 000007
【図６】
2011155581.tif 000008
【図７】
2011155581.tif 000009
【図８】
2011155581.tif 000010
【図９】
2011155581.tif 000011
【図１０】
2011155581.tif 000012